(57)【要約】【課題】本発明の目的は、冷房又は暖房の省エネルギー化が図られる床下蓄熱システム及び床下蓄熱方法を提供することである。【解決手段】床下蓄熱システムは、屋根面２と太陽電池１１との間に設けられた第１空気通路１２と、外気を前記第１空気通路に取り入れるための第１空気取入れ口２１と、前記第１空気通路と床下空間５とを接続する第２空気通路１５と、前記第２空気通路に設けられた第１ファン２０と、前記床下空間に配置された蓄熱ユニット４０とを具備する。【選択図】図１
2010007991.tif 000002
【特許請求の範囲】
【請求項１】
屋根面と太陽電池との間に設けられた第１空気通路と、
外気を前記第１空気通路に取り入れるための第１空気取入れ口と、
前記第１空気通路と床下空間とを接続する第２空気通路と、
前記第２空気通路に設けられた第１ファンと、
前記床下空間に配置された蓄熱ユニットと
を具備する
床下蓄熱システム。
【請求項２】
前記第２空気通路に設けられた空気吹出し口と、
前記第２空気通路に設けられた第１ダンパ群と
を更に具備し、
前記第１ダンパ群が第１状態のとき、前記第１ファンは空気を前記第１空気通路から前記床下空間へ送り、
前記第１ダンパ群が第２状態のとき、前記第１ファンは前記床下空間からの空気を前記空気吹出し口から室内に吹き出す
請求項１の床下蓄熱システム。
【請求項３】
第３空気通路と、
前記第３空気通路に設けられた第２ファンと、
ヒートポンプ給湯器と
を更に具備し、
前記ヒートポンプ給湯器は、
外気から熱を奪う室外機と、
前記熱を用いて水を加熱する給湯タンクと
を備え、
前記第３空気通路は、前記床下空間と前記室外機とを接続する
請求項２の床下蓄熱システム。
【請求項４】
前記第３空気通路に設けられた排気口と、
前記第３空気通路に設けられた第２ダンパ群と
を更に具備し、
前記第２ダンパ群は、
前記床下空間が前記室外機に接続され、且つ、前記排気口が前記室外機から遮断される第１状態と、
前記床下空間が前記室外機から遮断され、且つ、前記排気口が前記室外機に接続される第２状態と
をとる
請求項３の床下蓄熱システム。
【請求項５】
前記蓄熱ユニットは、キャスターを備える
請求項１乃至４のいずれかに記載の床下蓄熱システム。
【請求項６】
前記蓄熱ユニットは、潜熱型の蓄熱材を備える
請求項１乃至５のいずれかに記載の床下蓄熱システム。
【請求項７】
前記蓄熱ユニットは、前記キャスターが取り付けられた棚を備え、
前記棚は、複数の通気孔が設けられた棚板を備え、
前記棚板に蓄熱材が載せられる
請求項１乃至５のいずれかに記載の床下蓄熱システム。
【請求項８】
屋根面と太陽電池との間に設けられた第１空気通路に空気を取り入れるステップと、
前記空気と前記太陽電池との間で熱交換させるステップと、
前記空気を蓄熱ユニットが配置された床下空間に強制的に送るステップと
を具備する
床下蓄熱方法。
【請求項９】
前記床下空間の空気を強制的に室内に吹き出すステップを更に具備する
請求項８の床下蓄熱方法。
【請求項１０】
ヒートポンプ給湯器が外気から熱を奪うステップと、
前記外気を前記床下空間に強制的に送るステップと
を更に具備する
請求項８又は９の床下蓄熱方法。
【請求項１１】
前記床下空間内の空気の通りみちの変化にあわせて前記蓄熱ユニットの配置を変更するステップを更に具備する
請求項８乃至１０のいずれかに記載の床下蓄熱方法。
【請求項１２】
前記蓄熱ユニットが備える蓄熱材が融解するステップと、
前記蓄熱材が凝固するステップと
を更に具備する
請求項８乃至１１のいずれかに記載の床下蓄熱方法。
【発明の詳細な説明】
【技術分野】
【０００１】
本発明は、床下蓄熱システム及び床下蓄熱方法に関し、特に、ソーラーシステムハウスに好適な床下蓄熱システム及び床下蓄熱方法に関する。
【背景技術】
【０００２】
特許文献１は、太陽エネルギーを利用して室内の温度環境の改善を図るソーラーシステムハウスを開示している。ソーラーシステムハウスは、屋根面と太陽電池モジュールとの間に設けられた屋根上通気層を備える。送風用ファン装置は、外気を屋根上通気層に取り入れ、そこから各室に供給する。
【０００３】
【特許文献１】特開平９−１８４２０９号公報
【発明の開示】
【発明が解決しようとする課題】
【０００４】
本発明の目的は、冷房又は暖房の省エネルギー化が図られる床下蓄熱システム及び床下蓄熱方法を提供することである。
【課題を解決するための手段】
【０００５】
以下に、（発明を実施するための最良の形態）で使用される番号を用いて、課題を解決するための手段を説明する。これらの番号は、（特許請求の範囲）の記載と（発明を実施するための最良の形態）との対応関係を明らかにするために付加されたものである。ただし、それらの番号を、（特許請求の範囲）に記載されている発明の技術的範囲の解釈に用いてはならない。
【０００６】
本発明による床下蓄熱システムは、屋根面（２）と太陽電池（１１）との間に設けられた第１空気通路（１２）と、外気を前記第１空気通路に取り入れるための第１空気取入れ口（２１）と、前記第１空気通路と床下空間（５）とを接続する第２空気通路（１５）と、前記第２空気通路に設けられた第１ファン（２０）と、前記床下空間に配置された蓄熱ユニット（４０）とを具備する。
【０００７】
上記床下蓄熱システムは、前記第２空気通路に設けられた空気吹出し口（１８ａ）と、前記第２空気通路に設けられた第１ダンパ群（３２〜３５）とを更に具備することが好ましい。前記第１ダンパ群が第１状態のとき、前記第１ファンは空気を前記第１空気通路から前記床下空間へ送る。前記第１ダンパ群が第２状態のとき、前記第１ファンは前記床下空間からの空気を前記空気吹出し口から室内（３）に吹き出す。
【０００８】
上記床下蓄熱システムは、第３空気通路（６０）と、前記第３空気通路に設けられた第２ファン（６３）と、ヒートポンプ給湯器（５０）とを更に具備することが好ましい。  前記ヒートポンプ給湯器は、外気から熱を奪う室外機（５２）と、前記熱を用いて水を加熱する給湯タンク（５１）とを備える。前記第３空気通路は、前記床下空間と前記室外機とを接続する。
【０００９】
上記床下蓄熱システムは、前記第３空気通路に設けられた排気口（６７）と、前記第３空気通路に設けられた第２ダンパ群（６５、６６）とを更に具備することが好ましい。前記第２ダンパ群は、前記床下空間が前記室外機に接続され、且つ、前記排気口が前記室外機から遮断される第１状態と、前記床下空間が前記室外機から遮断され、且つ、前記排気口が前記室外機に接続される第２状態とをとる。
【００１０】
前記蓄熱ユニットは、キャスター（４４）を備えることが好ましい。
【００１１】
前記蓄熱ユニットは、潜熱型の蓄熱材（４１）を備えることが好ましい。
【００１２】
前記蓄熱ユニットは、前記キャスターが取り付けられた棚（４２）を備えることが好ましい。前記棚は、複数の通気孔が設けられた棚板（４３）を備える。前記棚板に蓄熱材（４１）が載せられる。
【００１３】
本発明による床下蓄熱方法は、屋根面（２）と太陽電池（１１）との間に設けられた第１空気通路（１２）に空気を取り入れるステップと、前記空気と前記太陽電池との間で熱交換させるステップと、前記空気を蓄熱ユニット（４０）が配置された床下空間（５）に強制的に送るステップとを具備する。
【００１４】
上記床下蓄熱方法は、前記床下空間の空気を強制的に室内（３）に吹き出すステップを更に具備することが好ましい。
【００１５】
上記床下蓄熱方法は、ヒートポンプ給湯器（５０）が外気から熱を奪うステップと、前記外気を前記床下空間に強制的に送るステップとを更に具備することが好ましい。
【００１６】
上記床下蓄熱方法は、前記床下空間内の空気の通りみちの変化にあわせて前記蓄熱ユニットの配置を変更するステップを更に具備することが好ましい。
【００１７】
上記床下蓄熱方法は、前記蓄熱ユニットが備える蓄熱材（４１）が融解するステップと、  前記蓄熱材が凝固するステップとを更に具備することが好ましい。
【発明の効果】
【００１８】
本発明によれば、冷房又は暖房の省エネルギー化が図られる床下蓄熱システム及び床下蓄熱方法が提供される。
【発明を実施するための最良の形態】
【００１９】
添付図面を参照して、本発明による床下蓄熱システム及び床下蓄熱方法を実施するための最良の形態を以下に説明する。
【００２０】
（第１の実施形態）
図１は、本発明の第１の実施形態に係る床下蓄熱システムの概略図である。床下蓄熱システムが適用される建物１は、屋根面２と、屋根面２に設けられた太陽電池１１と、床４と、床４の上の空間としての室内３と、床４の下の床下空間５とを備える。太陽電池１１は、太陽電池１１と屋根面２との間に間隔が設けられるように、屋根面２を覆う。
【００２１】
床下蓄熱システムは、屋根面２と太陽電池１１との間に設けられた屋根上空気通路１２と、屋根上空気通路１２に外気を取り入れるための通気口２１と、屋根上空気通路１２に接続されるエアチャンバ１３と、エアチャンバ１３に接続されるベンチレーションボックス１４と、エアチャンバ１３と床下空間５とを接続する空気通路１５と、空気通路１５に設けられたファン２０と、床４に設けられた通気口２４と、床下空間５に外気を取り入れるための通気口２３と、床下空間５に配置された複数の蓄熱ユニット４０と、床下空間５の下の基礎コンクリート９と、床下空間５及び基礎コンクリート９の周囲に設けられた断熱材７と、エアチャンバ１３とベンチレーションボックス１４との間の接続及び遮断を切り替えるダンパ３１と、空気通路１５とエアチャンバ１３との間の接続及び遮断を切り替えるダンパ３２とを備える。ベンチレーションボックス１４には通気口２２が設けられている。空気通路１５は、エアチャンバ１３を介して屋根上空気通路１２と床下空間５とを接続する。床４は建物１の周囲の地表面８より高く、基礎コンクリート９の上面６は地表面８より低い。断熱材７は、地表面８から深さＨにわたって設けられている。深さＨは、通常より深い１．５ｍ〜２ｍであることが好ましい。断熱材７により、基礎コンクリート９は地面の浅い部分と熱的に接続されず、地面の深い部分と熱的に接続される。
【００２２】
図２は、建物１の屋根の斜視図である。屋根面２は傾斜している。通気口２１は屋根上空気通路１２の軒側部分に設けられている。エアチャンバ１３は屋根上空気通路１２の棟側部分に接続されている。エアチャンバ１３は通気口２１よりも高い位置に配置されている。ベンチレーションボックス１４はエアチャンバ１３の上に位置する。屋根上空気通路１２内には、空気の流れを整えるためのガイド１２ａが設けられている。ガイド１２ａは、屋根面２の最大傾斜方向に沿って延びている。
【００２３】
図３Ａは、空気通路１５を詳細に示す。空気通路１５は、床下空間５とエアチャンバ１３とを接続する主空気通路１６と、バイパス空気通路１７と、空気吹出し通路１８とを備える。ダンパ３２は、主空気通路１６に設けられている。バイパス空気通路１７の一端が主空気通路１６の分岐部１５ａに接続され、バイパス空気通路１７の他端が主空気通路１６の分岐部１５ｂに接続され、空気吹出し通路１８が分岐部１５ｃにおいて主空気通路１６から分岐している。主空気通路１６に沿って、ダンパ３２よりも床下空間５の近くに分岐部１５ａが位置し、分岐部１５ａよりも床下空間５の近くに分岐部１５ｃが位置し、分岐部１５ｃよりも床下空間５の近くに分岐部１５ｂが位置する。ファン２０は、主空気通路１６の分岐部１５ａと分岐部１５ｂの間に設けられる。空気吹出し通路１８には空気吹出し口１８ａが設けられている。主空気通路１６の分岐部１５ｃと分岐部１５ｂの間にダンパ３３が設けられ、バイパス空気通路１７の分岐部１５ａと分岐部１５ｂの間にダンパ３４が設けられ、空気吹出し通路１８の分岐部１５ｃと空気吹出し口１８ａの間にダンパ３５が設けられる。ダンパ３２、ダンパ３３、ダンパ３４、及びダンパ３５は、第１ダンパ群と称される場合がある。
【００２４】
図３Ａに示すように、ダンパ３２及び３３が閉状態、且つ、ダンパ３４及び３５が開状態の場合、ファン２０は、床下空間５からの空気を強制的に空気吹出し口１８ａから室内３に吹き出す。つまり、床下空間５内の空気は、分岐部１５ｂと、バイパス空気通路１７と、分岐部１５ａと、分岐部１５ｃと、空気吹出し通路１８とを順に通過して空気吹出し口１８ａから室内３に吹き出す。
【００２５】
図３Ｂに示すように、ダンパ３２及び３３が開状態、且つ、ダンパ３４及び３５が閉状態の場合、ファン２０は、屋根上空気通路１２からの空気を強制的に床下空間５に送る。つまり、屋根上空気通路１２内の空気は、エアチャンバ１３と、分岐部１５ａと、分岐部１５ｃと、分岐部１５ｂとを順に通過して床下空間５に流入する。
【００２６】
図４に示すように、蓄熱ユニット４０は、複数の蓄熱材４１と、棚４２と、棚４２に取り付けられたキャスター４４とを備える。棚４２は、複数の棚板４３を備える。各棚板４３に蓄熱材４１が載せられている。各蓄熱材４１の上及び各棚板４３の下には隙間が設けられているため、蓄熱材４１と床下空間５内の空気との熱交換が促進される。各棚板４３には複数の通気孔が設けられている。そのため、蓄熱材４１の下側においても蓄熱材４１と空気との熱交換が確保される。棚板４３として、メッシュやパンチングメタルプレートが例示される。蓄熱ユニット４０がキャスター４４を備えるため、蓄熱ユニット４０は上面６上を容易に移動できる。
【００２７】
以下、本実施形態に係る床下蓄熱システムの動作を説明する。
【００２８】
はじめに、夏季の晴れた昼間に好適な動作を説明する。
【００２９】
夏季の晴れた昼間においては、太陽電池１１は、太陽からの光エネルギーを利用して発電を行う。発電された電力は、二次電池に貯えられてから、又は二次電池に貯えられず直接に、建物１内で使用される。例えば、太陽電池１１が発電した電力を用いてファン２０を駆動することが可能である。また、太陽電池１１は、太陽からの熱エネルギーを受けるために温度が高くなる。太陽電池１１の過度の温度上昇は発電効率の低下を招く。
【００３０】
そこで、ダンパ３１を開き、ダンパ３２を閉じる。屋根上空気通路１２内の空気は、太陽電池１１との熱交換により暖められる。暖められた屋根上空気通路１２内の空気は、浮力によりエアチャンバ１３へ移動する。これにより、外気が通気口２１から屋根上空気通路１２に取り入れられ、エアチャンバ１３及びベンチレーションボックス１４を順に通過し、通気口２２から外に排気される自然対流による空気の流れが生じる。この結果、太陽電池１１が冷却されて発電効率の低下が防がれる。また、屋根面２も冷却されるため、室内３の冷房負荷が低減される。なお、ベンチレーションボックス１４の自然対流による換気力が弱い場合には、ダンパ３１とエアチャンバ１３の間に設けられた排気ファン１９を使用して、エアチャンバ１３の空気をベンチレーションボックス１４を通過させて通気口２２から外に強制的に排気することが可能である。
【００３１】
また、夏季の晴れた昼間においては、床下空間５の温度が外気温よりも低くなる。上面６で床下空間５に接している基礎コンクリート９が、年間を通じて温度が一定の地面の深い部分と熱的に接続され、夏季に温度が上昇する地面の浅い部分と熱的に接続されないことが理由の一つである。
【００３２】
そこで、通気口２３が閉じた状態、通気口２４が開いた状態、且つ、第１ダンパ群が図３Ａに示す状態において、ファン２０が動作する。このとき、床下空間５内の空気が空気通路１５に流入し、空気吹出し口１８ａから室内３に吹き出す。室内３の空気が通気口２４を通って床下空間５に流入する。床下空間５の空気がファン２０によって強制的に室内３に吹き出される。その結果、室内３の温度が下がり、室内３の冷房負荷が低減される。
【００３３】
なお、通気口２３を開いて、２４時間換気のための外気を床下空間５に取り入れるようにしてもよい。
【００３４】
次に、夏季の晴れた夜間に好適な動作を説明する。
【００３５】
夏季の晴れた夜間においては、放射冷却により太陽電池１１の温度が低下する。
【００３６】
そこで、ダンパ３１が閉じた状態、且つ、第１ダンパ群が図３Ｂに示す状態において、ファン２０が動作する。外気が通気口２１から屋根上空気通路１２に取り入れられ、屋根上空気通路１２において太陽電池１１との熱交換により冷却されてから、エアチャンバ１３及び空気通路１５を順に通過し、床下空間５に流入する。太陽電池１１と熱交換した屋根上空気通路１２内の空気がファン２０により強制的に床下空間５に送られる。この結果、床下空間５に流入した外気により運ばれた冷熱が蓄熱ユニット４０及び基礎コンクリート９に蓄熱される。蓄熱ユニット４０及び基礎コンクリート９に蓄熱された冷熱は、昼間、上述のように室内３の温度を下げるために利用される。このとき、床下空間５内の空気は通気口２４を通って室内３に吹き出し、又は、通気口２３を通って外に排気される。床下空間５内の空気がファン２０によって強制的に室内３に吹き出される。
【００３７】
次に、冬季の晴れた昼間に好適な動作を説明する。
【００３８】
冬季の晴れた昼間においては、太陽電池１１は、太陽からの光エネルギーを利用して発電を行う。また、太陽電池１１は、太陽からの熱エネルギーを受けるために温度が高くなる。
【００３９】
そこで、ダンパ３１が閉じた状態、且つ、第１ダンパ群が図３Ｂに示す状態において、ファン２０が動作する。外気が通気口２１から屋根上空気通路１２に取り入れられ、屋根上空気通路１２において太陽電池１１との熱交換により暖められてから、エアチャンバ１３及び空気通路１５を順に通過し、床下空間５に流入する。太陽電池１１と熱交換した屋根上空気通路１２内の空気がファン２０により強制的に床下空間５に送られる。この結果、床下空間５に流入した外気により運ばれた熱が蓄熱ユニット４０及び基礎コンクリート９に蓄熱される。このとき、床下空間５内の空気は通気口２４を通って室内３に吹き出し、又は、通気口２３を通って外に排気される。床下空間５内の空気がファン２０によって強制的に室内３に吹き出される。
【００４０】
次に冬季の夜間に好適な動作を説明する。
【００４１】
冬季の夜間においては、床下空間５の温度が外気温よりも高くなる。基礎コンクリート９が、年間を通じて温度が一定の地面の深い部分と熱的に接続され、冬季に温度が低下する地面の浅い部分と熱的に接続されないため、又は、上述のように昼の間に蓄熱ユニット４０及び基礎コンクリート９に蓄熱されるため、或いは両方のためである。その結果、冬季の夜間には床下空間５の温度が室内３の温度より高くなる。
【００４２】
すると、床下空間５内の空気が通気口２４を通って室内３に流入する。その結果室内３が暖められ、室内３の暖房負荷が低減される。床下空間５内の空気は自然対流により室内３に流入する。
【００４３】
蓄熱材４１としては、レンガのような顕熱型の蓄熱材を用いてもよいが、化学薬品系の潜熱型の蓄熱材を用いることにより大量の蓄熱が可能となり、熱の損失も防がれる。潜熱型の蓄熱材が融解及び凝固することにより、潜熱型の蓄熱材の温度変化をほとんど伴わずに大量の熱が出入りする。潜熱型の蓄熱材の融解温度及び凝固温度は、使用目的にあわせて設定することが可能である。例えば、硫酸ナトリウム、酢酸ナトリウムまたはパラフィンを含み、凝固温度が４０℃程度、融解温度が４２℃程度に設定された潜熱型の蓄熱材は、冬季の使用に好適である。異なる融解温度及び凝固温度に設定された潜熱型の蓄熱材を用意し、季節に応じて使い分けることが好ましい。
【００４４】
蓄熱ユニット４０がキャスター４４により床下空間５内を移動可能であるため、蓄熱材４１の交換作業が容易になる。また、床下空間５内の空気の通りみちの変化にあわせて蓄熱ユニット４０の配置を変更することも容易である。
【００４５】
（第２の実施形態）
図５は、本発明の第２の実施形態に係る床下蓄熱システムの一部を示す。本実施形態に係る床下蓄熱システムは、第１の実施形態に係る床下蓄熱システムの通気口２３に空気通路６０を介してヒートポンプ給湯器５０が接続されたものである。ヒートポンプ給湯器５０は、外気から熱を奪う室外機５２と、その熱を用いて水を加熱する給湯タンク５１とを備える。
【００４６】
空気通路６０は、室外機５２と通気口２３とを接続する主空気通路６１と、主空気通路６１の分岐部６１ａから分岐する分岐空気通路６２と、主空気通路６１の分岐部６１ａより床下空間５の近くに設けられたファン６３と、主空気通路６１のファン６３よりも床下空間５の近くに設けられたフィルタ６４と、主空気通路６１のフィルタ６４よりも床下空間５の近くに設けられたダンパ６５とを備える。主空気通路６１は、通気口２３を介して室外機５２と床下空間５とを接続する。分岐空気通路６２には排気口６７が設けられ、分岐空気通路６２の排気口６７と分岐部６１ａの間にダンパ６６が設けられる。
【００４７】
ダンパ６５及び６６は、第２ダンパ群と称される場合がある。ダンパ６５が開状態、且つ、ダンパ６６が閉状態である第２ダンパ群の第１状態において、床下空間５が室外機５２に接続され、かつ、排気口６７が室外機５２から遮断される。ダンパ６５が閉状態、且つ、ダンパ６６が開状態である第２ダンパ群の第２状態において、床下空間５が室外機５２から遮断され、かつ、排気口６７が室外機５２に接続される。
【００４８】
本実施形態に係る床下蓄熱システムは、第１の実施形態に係る床下蓄熱システムと同様に動作することが可能であるが、夏季の夜間には次のように動作することも可能である。
【００４９】
ファン２０が動作しない状態、ヒートポンプ給湯器５０が運転中の状態、且つ、第２ダンパ群が第１状態において、ファン６３が動作する。このとき、室外機５２は外気から熱を奪う。熱を奪われた外気は、主空気通路６１に流入し、分岐部６１ａ、ファン６３、フィルタ６４及びダンパ６５を順に通過して、床下空間５に流入する。熱を奪われて温度が低下した外気がファン６３により強制的に床下空間５に送られる。この結果、床下空間５に流入した外気により運ばれた冷熱が蓄熱ユニット４０及び基礎コンクリート９に蓄熱される。このとき、床下空間５内の空気は通気口２４を通って室内３に吹き出す。床下空間５内の空気がファン６３によって強制的に室内３に吹き出される。蓄熱ユニット４０及び基礎コンクリート９に蓄熱された冷熱は、昼間、室内３の温度を下げるために利用される。したがって、ヒートポンプ給湯器５０の冷排熱を利用して夏季の冷房負荷を低減することが可能である。
【００５０】
中間期及び冬季においては、第２ダンパ群を第２状態にすることが好ましい。このとき、室外機５２からの排気は、排気口６７から大気中に放出され、床下空間５に流入しない。
【図面の簡単な説明】
【００５１】
【図１】図１は、本発明の第１の実施形態に係る床下蓄熱システムの概略図である。
【図２】図２は、第１の実施形態に係る床下蓄熱システムが適用される建物の屋根の斜視図である。
【図３Ａ】図３Ａは、床下空間の空気を室内に吹き出すための第１ダンパ群の状態を示す。
【図３Ｂ】図３Ｂは、屋根上空気通路の空気を床下空間に送るための第１ダンパ群の状態を示す。
【図４】図４は、蓄熱ユニットを示す。
【図５】図５は、本発明の第２の実施形態に係る床下蓄熱システムの一部を示す。
【符号の説明】
【００５２】
１…建物
２…屋根面
３…室内
４…床
５…床下空間
６…上面
７…断熱材
８…地表面
９…基礎コンクリート
１１…太陽電池
１２…屋根上空気通路
１２ａ…ガイド
１３…エアチャンバ
１４…ベンチレーションボックス
１５…空気通路
１５ａ〜１５ｃ…分岐部
１６…主空気通路
１７…バイパス空気通路
１８…空気吹出し通路
１８ａ…空気吹出し口
１９…排気ファン
２０…ファン
２１〜２４…通気口
３１〜３５…ダンパ
４０…蓄熱ユニット
４１…蓄熱材
４２…棚
４３…棚板
４４…キャスター
５０…ヒートポンプ給湯器
５１…給湯タンク
５２…室外機
６０…空気通路
６１…主空気通路
６１ａ…分岐部
６２…分岐空気通路
６３…ファン
６４…ファイルタ
６５、６６…ダンパ
６７…排気口
【図１】
2010007991.tif 000003
【図２】
2010007991.tif 000004
【図３Ａ】
2010007991.tif 000005
【図３Ｂ】
2010007991.tif 000006
【図４】
2010007991.tif 000007
【図５】
2010007991.tif 000008